(57)【要約】      （修正有）【課題】望ましくない変形または隆起を生じさせないマットレスを提供する。【解決手段】互いの間で複数の角度をなすことができる少なくとも１つの第１の後頭部支持領域１Ａと第２の臀部座面領域１Ｂとを有する適応型ベッドのためのマットレス１であり、マットレス１は、第１の下部半マットレス５と、第１の下部半マットレス５より薄い厚さの第２の上部半マットレス６とを含む。半マットレス５、６は、その第２の臀部座面部６Ｂによって接合されている。第１の下部半マットレス５と第２の上部半マットレス６との第１の後頭部支持部５Ａ、６Ａの対面は、静止位置から稼働位置への移行時にマットレス１の後頭部支持領域１Ａが臀部座面領域１Ｂを基準にして傾斜させられるときに、第１の下部半マットレス５の第１の後頭部支持部５Ａに対する第２の上部半マットレス６の第１の後頭部支持部５Ａの摺動を確実にする相互摺動手段を含む。【選択図】図５
0003232509.tif 000002
【実用新案登録請求の範囲】
【請求項１】
静止位置から稼働位置への移行時に、横たわっている人（Ｐ）の身体を直立に座らせるようになされ、マットレス（１）が載る少なくとも１つの横軸（４ａ）を中心として傾斜するフレーム（３）を有する種類のベッド（２）のためのマットレス（１）であって、少なくとも１つの第１の後頭部支持領域（１Ａ）とそれに続く第２の臀部座面領域（１Ｂ）とが、前記マットレス（１）において決定され、前記フレーム（３）が傾斜すると１８０°と９０°との間からなる複数の角度を互いの間でなすように配置されることができ、前記マットレス（１）は第１の材料からなる第１の下部半マットレス（５）と、第２の材料からなり、前記第１の下部半マットレス（５）よりも薄い厚さを有し、人（Ｐ）を支持するように意図された支持面（７）を備える第２の上部半マットレス（６）とを含み、前記マットレス（１）は、
前記第１の下部半マットレス（５）と前記第２の上部半マットレス（６）とが最大の表面積を有するその２つの面（５１、６１）のうちの一方の面で互いに重ね合わされ、互いに対向するように配置され、前記静止位置および前記稼働位置において前記第２の上部半マットレス（６）が前記第１の下部半マットレス（５）の上に位置し、
前記マットレス（１）の前記第１の後頭部支持領域（１Ａ）が、それぞれの対面（５１Ａ、６１Ａ）で互いに対向するように配置された、前記第１の下部半マットレス（５）の第１の後頭部支持部（５Ａ）と前記第２の上部半マットレス（６）の第１の後頭部支持部（６Ａ）とによって形成され、前記マットレス（１）の前記第２の臀部座面領域（１Ｂ）が、それぞれの対面（５１Ｂ、６１Ｂ）で互いに対向するように配置された、前記第１の下部半マットレス（５）の第２の臀部座面部（５Ｂ）と前記第２の上部半マットレス（６）の第２の臀部座面部（６Ｂ）とによって形成され、
前記第１の下部半マットレス（５）と前記第２の上部半マットレス（６）とが少なくともそのそれぞれの前記第２の臀部座面部（５Ｂ、６Ｂ）によって互いに接合され、
前記第１の下部半マットレス（５）と前記第２の上部半マットレス（６）との前記第１の後頭部支持部（５Ａ、６Ａ）の対応する前記対面（５１Ａ、６１Ａ）が、前記静止位置から稼働位置への移行時に前記マットレス（１）の前記後頭部支持領域（１Ａ）が前記臀部座面領域（１Ｂ）を基準にして傾斜させられると、前記第１の下部半マットレス（５）の前記第１の後頭部支持部（５Ａ）を基準にした前記第２の上部半マットレス（６）の前記第１の後頭部支持部（６Ａ）の相対的摺動を確実にするように構成された相互摺動手段を含むことを特徴とするマットレス（１）。
【請求項２】
請求項１に記載のマットレス（１）であって、前記第１の下部半マットレス（５）と前記第２の上部半マットレス（６）との前記第１の後頭部支持部（５Ａ、６Ａ）の対応する前記対面（５１Ａ、６１Ａ）の前記相互摺動手段は、前記対面（５１Ａ、６１Ａ）を形成する布地そのものであり、前記布地自体に対する前記布地の摩擦係数が、前記静止位置から稼働位置への移行時に前記マットレス（１）の前記後頭部支持領域（１Ａ）が前記臀部座面領域（１Ｂ）を基準にして傾斜させられると前記第１の下部半マットレス（５）の前記第１の後頭部支持部（５Ａ）に対する前記第２の上部半マットレス（６）の前記第１の後頭部支持部（６Ａ）の相対的摺動を確実にするような摩擦係数であることを特徴とするマットレス（１）。
【請求項３】
請求項１または２に記載のマットレス（１）であって、前記第１の下部半マットレス（５）と前記第２の上部半マットレス（６）との前記第１の後頭部支持部（５Ａ、６Ａ）の対応する前記対面（５１Ａ、６１Ａ）の前記相互摺動手段は、前記第１の下部半マットレス（５）と前記第２の上部半マットレス（６）との前記第１の後頭部支持部（５Ａ、６Ａ）の前記対面（５１Ａ、６１Ａ）を形成する布地自体によるものであり、前記布地はプラスチック材料からなることを特徴とするマットレス（１）。
【請求項４】
請求項２または３に記載のマットレス（１）であって、前記第１の下部半マットレス（５）と前記第２の上部半マットレス（６）との前記第１の後頭部支持部（５Ａ、６Ａ）の前記対面（５１Ａ、６１Ａ）を形成する前記布地はポリウレタン布地であることを特徴とするマットレス（１）。
【請求項５】
請求項２から４のいずれか１項に記載のマットレス（１）であって、前記第１の下部半マットレス（５）と前記第２の上部半マットレス（６）との前記第１の後頭部支持部（５Ａ、６Ａ）の前記対面（５１Ａ、６１Ａ）を形成する前記布地は、前記マットレス（１）が備える被覆スリーブ（１０、１１）の一部であることを特徴とするマットレス（１）。
【請求項６】
請求項２から４のいずれか１項に記載のマットレス（１）であって、前記第１の下部半マットレス（５）の前記第１の後頭部支持部（５Ａ）の前記対面（５１Ａ）を形成する前記布地は、前記下部半マットレス（５）が備える下部被覆スリーブ（１２）の一部であり、前記第２の上部半マットレス（６）の前記第１の後頭部支持部（６Ａ）の前記対面（６１Ａ）を形成する前記布地は前記第２の上部半マットレス（６）が備える別の上部被覆スリーブ（１３）の一部であることと、前記第１の下部半マットレス（５）の前記第２の臀部座面部（５Ｂ）と前記第２の上部半マットレス（６）の前記第２の臀部座面部（６Ｂ）とは、前記第２の臀部座面部（５Ｂ、６Ｂ）に対応する区分においてそのそれぞれの前記スリーブ（１２、１３）の間の接合によって互いに接合されていることを特徴とするマットレス（１）。
【請求項７】
請求項５に記載のマットレス（１）であって、前記マットレス（１）は、前記第２の臀部座面領域（１Ｂ）に隣接する第３の下肢支持領域（１Ｃ）をさらに有し、前記第３の下肢支持領域（１Ｃ）は前記第２の臀部座面領域（１Ｂ）に対して１８０°と９０°との間からなる複数の角度をなすように配置されることができ、前記マットレス（１）の前記第３の下肢支持領域（１Ｃ）は、それぞれの対面（５１Ｃ、６１Ｃ）で重ね合わされ、互いに対向するように配置された、前記第１の下部半マットレス（５）の第３の下肢支持部（５Ｃ）と前記第２の上部半マットレス（６）の第３の下肢支持部（６Ｃ）とによって形成されることと、前記第３の下肢支持部（５Ｃ、６Ｃ）の前記対面（５１Ｃ、６１Ｃ）は、前記第１の下部半マットレス（５）と前記第２の上部半マットレス（６）との前記第１の後頭部支持部（５Ａ、６Ａ）の前記対面（５１Ａ、６１Ａ）を形成する同じ被覆スリーブ（１０）の一部であり、前記被覆スリーブ（１０）は、前記マットレス（１）の最も長い側が延びる方向を長手方向とみなして「Ｘ」字形状の長手方向断面を有することを特徴とするマットレス（１）。
【請求項８】
請求項５に記載のマットレス（１）であって、前記マットレス（１）は前記第２の臀部座面領域（１Ｂ）に隣接する第３の下肢支持領域（１Ｃ）をさらに有し、前記第３の下肢支持領域（１Ｃ）は、前記第２の臀部座面領域（１Ｂ）に対して１８０°と９０°の間からなる複数の角度をなすように配置されることができ、前記マットレス（１）の前記第３の下肢支持領域（１Ｃ）は、それぞれの対面（５１Ｃ、６１Ｃ）で重ね合わされ、互いに対向するように配置された、前記第１の下部半マットレス（５）の第３の下肢支持部（５Ｃ）と前記第２の上部半マットレス（６）の第３の下肢支持部（６Ｃ）とによって形成され、前記第３の下肢支持部（５Ｃ、６Ｃ）の前記対面（５１Ｃ、６１Ｃ）は、前記対面（５１Ｃ、６１Ｃ）の間に前記マットレス（１）が備える前記被覆スリーブ（１１）の介在なしに互いに接合され、前記スリーブ（１１）は、前記マットレス（１）の最も長い側が延びる方向を長手方向とみなして「Ｙ」字形状の長手方向断面を有することを特徴とするマットレス（１）。
【請求項９】
請求項６に記載のマットレス（１）であって、前記マットレス（１）は前記第２の臀部座面領域（１Ｂ）に隣接する第３の下肢支持領域（１Ｃ）をさらに有し、前記第３の下肢支持領域（１Ｃ）は前記第２の臀部座面領域（１Ｂ）に対して１８０°と９０°の間からなる複数の角度をなすように配置されることができ、前記マットレス（１）の前記第３の下肢支持領域（１Ｃ）は、それぞれの対面（５１Ｃ、６１Ｃ）で重ね合わされ、互いに対向するように配置された、前記第１の下部半マットレス（５）の第３の下肢支持部（５Ｃ）と前記第２の上部半マットレス（６）の第３の下肢支持部（６Ｃ）とによって形成され、前記第１の下部半マットレス（５）の前記第３の下肢支持部（５Ｃ）の前記対面（５１Ｃ）は前記第１の下部半マットレス（５）の前記下部被覆スリーブ（１２）の一部であり、前記第２の上部半マットレス（６）の前記第３の下肢支持部（６Ｃ）の前記対面（６１Ｃ）は前記第２の上部半マットレス（６）の前記上部被覆スリーブ（１３）の一部であることを特徴とするマットレス（１）。
【請求項１０】
請求項９に記載のマットレス（１）であって、前記第１の下部半マットレス（５）の前記第３の下肢支持部（５Ｃ）の前記対面（５１Ｃ）と前記第２の上部半マットレス（６）の前記第３の下肢支持部（６Ｃ）の前記対面（６１Ｃ）とが互いに接合されていないことを特徴とするマットレス（１）。
【請求項１１】
請求項９に記載のマットレス（１）であって、前記第１の下部半マットレス（５）の前記第３の下肢支持部（５Ｃ）の前記対面（５１Ｃ）と前記第２の上部半マットレス（６）の前記第３の下肢支持部（６Ｃ）の前記対面（６１Ｃ）とが互いに接合されていることを特徴とするマットレス（１）。
【請求項１２】
請求項８または１１に記載のマットレス（１）であって、前記第１の下部半マットレス（５）の前記第２の上部半マットレス（６）との、前記第２の臀部座面部（５Ｂ、６Ｂ）と前記第３の下肢支持部（５Ｃ、６Ｃ）とにおける接合は、接着剤を用いた接合、または縫製による接合、または相互結合手段を用いた接合、または相互フック手段（８）を用いた接合であることを特徴とするマットレス（１）。
【請求項１３】
請求項７から１２のいずれか１項に記載のマットレス（１）であって、前記マットレス（１）の前記第３の下肢支持領域（１Ｃ）は２つの支持半部に分割され、第１の支持半部は大腿部支持半部（１Ｄ）であり、第２の支持半部はふくらはぎおよび足部支持半部（１Ｅ）であり、前記半部は互いの間で異なる角度位置をなすように配置されることができることを特徴とするマットレス（１）。
【請求項１４】
請求項１から１３のいずれか１項に記載のマットレス（１）であって、前記第１の下部半マットレス（５）の前記第２の上部半マットレス（６）との前記第２の臀部座面部（５Ｂ、６Ｂ）における前記接合は、接着剤を用いた接合、または縫製による接合、または相互結合手段を用いた接合、または相互フック手段（８）を用いた接合であることを特徴とするマットレス（１）。
【請求項１５】
請求項１から１４のいずれか１項に記載のマットレス（１）であって、前記下部半マットレス（５）はポリウレタン発泡材からなることを特徴とするマットレス（１）。
【請求項１６】
請求項１５に記載のマットレス（１）であって、前記第１の下部半マットレス（５）の前記ポリウレタン発泡材は、３０Ｋｇ／ｍ３と６０Ｋｇ／ｍ３との間からなる密度、好ましくは４０Ｋｇ／ｍ３に等しい密度を有することを特徴とするマットレス（１）。
【請求項１７】
請求項１５または１６に記載のマットレス（１）であって、前記第１の下部半マットレス（５）の前記ポリウレタン発泡材は、１０ｃｍと１７ｃｍの間、好ましくは１３ｃｍの厚さを有することを特徴とするマットレス（１）。
【請求項１８】
請求項１から１７のいずれか１項に記載のマットレス（１）であって、前記第２の上部半マットレス（６）は粘弾性発泡材からなることを特徴とするマットレス（１）。
【請求項１９】
請求項１８に記載のマットレス（１）であって、前記第２の上部半マットレス（６）の前記粘弾性発泡材は、３０Ｋｇ／ｍ３と６０Ｋｇ／ｍ３の間からなる密度、好ましくは５０Ｋｇ／ｍ３に等しい密度を有することを特徴とするマットレス（１）。
【請求項２０】
請求項１８または１９に記載のマットレス（１）であって、前記第２の上部半マットレス（６）の前記粘弾性発泡材は、２ｃｍと７ｃｍの間、好ましくは４ｃｍの厚さを有することを特徴とするマットレス（１）。
【請求項２１】
請求項１から２０のいずれか１項に記載のマットレス（１）であって、前記マットレス（１）が前記第２の臀部座面領域（１Ｂ）に隣接する第３の下肢支持領域（１Ｃ）を有することと、前記マットレス（１）の一端に位置する領域である前記第１の後頭部支持領域（１Ａ）が前記マットレス（１）の全長の３５％と４０％の間からなる長さを有し、前記第１の後頭部支持領域（１Ａ）と前記第３の下肢支持領域（１Ｃ）との間に隣接して位置する前記第２の臀部座面領域（１Ｂ）が前記マットレス（１）の全長の１０％と１５％の間からなる長さを有し、前記第２の臀部座面領域（１Ｂ）に隣接し、前記マットレス（１）の他端に位置する前記第３の下肢支持領域（１Ｃ）が前記マットレス（１）の全長の４５％と５５％の間からなる長さを有することを特徴とするマットレス（１）。
【請求項２２】
静止位置から稼働位置への移行時に、横たわっている人（Ｐ）の身体を直立に座らせるようになされたベッド（２）であって、マットレス（１）と、前記マットレス（１）の支持を受けるようになされた表面を備えたフレーム（３）とを含み、前記フレーム（３）の前記表面は、前記フレーム（３）の少なくとも１つの横軸（４ａ）を中心として傾斜する少なくとも２枚のパネルを含むベッド（２）において、前記マットレス（１）は請求項１から２１のいずれか１項に記載のマットレスである、ことを特徴とするベッド（２）。
【考案の詳細な説明】
【技術分野】
【０００１】
本考案は、静止位置から稼働位置への移行時に、横たわっている人の身体を直立に座らせるようになされた、角度可変フレームを有するベッドの種類の適応型ベッドのためのマットレスに関する。
【０００２】
本考案は、前記マットレスを含む、角度可変フレームを備えた適応型ベッドにも関する。
【背景技術】
【０００３】
現在、上にマットレスが置かれ、静止位置から人が実質的にまたは完全にマットレス上に座る稼働リクライニング位置への移行時に、横たわっている人の身体を直立に座らせるために、手動式または電動式作動装置を用いてフレームの高度と傾斜とを変化させることができるようにする角度可変フレームまたはボックススプリングを備えたベッドが知られている。このため、この種のベッドは、一定期間安静にする必要のある、運動力が低下した人または病人の安静を向上させるのに特に適している。
【０００４】
知られている角度可変フレームは、その表面をそれぞれの人の必要に応じて独立してリクライニングする、相互に連接されたパネルの形態の２つ以上の連接された部分に分割する複数の横連接軸を備え得る。連接された部分は、互いの間で横軸を中心として回転することによって、マットレスにおいて区別される対応する支持領域を決定する。一般に、マットレスは、第１の後頭部支持領域と、臀部を支持するのに適した第２の臀部座面領域と、ある種の型ではさらに第１の大腿部支持半部と第２のふくらはぎおよび足部支持半部とに細分されている場合がある第３の下肢支持領域とを有する。マットレスの各支持領域または半部は、角度可変フレームの対応するパネルによって支持される。最も基本的なフレームは、横軸によって連接された２枚のパネルによって形成されたフレームであり、一方のパネルがマットレスの後頭部支持領域に支持を与えるものであり、他方のパネルが臀部と下肢とに同時に支持を与えるものである。より完備したフレームは、マットレスの後頭部支持領域と、臀部支持領域と、大腿部支持領域のそれぞれの支持パネルを分離する２本の横軸を有する。
【０００５】
この目的のために、フレームの第１の横軸が、静止位置から人が直立に座る稼働位置への移行とその逆の移行のために、互いの間に１８０°と９０°との間からなる複数の角度をなすように配置されることができる第１の後頭部支持領域と第２の臀部座面領域との間の傾斜を可能にする。また、下肢の姿勢に対応するために、第１の大腿部支持半部と第２のふくらはぎおよび足部支持半部とが互いの間で異なる角度位置をなすように配置されることができるように、フレームの第２の横軸が、第１の大腿部支持半部と第２のふくらはぎおよび足部支持半部との間での傾斜を可能にする。
【０００６】
この種のベッドで使用される、知られているマットレスは通常、異なる厚さを有し、異なる特性を持つ発泡材料からなる、少なくとも２つの層からなり、これらの層は、これらの層を単体として一緒に機能させるように接着剤によって接合され、この単体はスリーブで被覆されている。下層はより厚く、より高密度であり、角度可変フレームのパネル上に直接載っている層であり、一方、上層はより薄く、より低密度であり、マットレス上に横たわっている人と接触する層である。
【０００７】
したがって、この種のマットレスでは、下面が角度可変フレーム上に載る第１の下部半マットレスと、下部半マットレスよりも厚さが薄く、１人の人のための支持面を備えた第２の上部半マットレスとを含むと言える。下部半マットレスと上部半マットレスとは、第２の半マットレスが常に第１の半マットレスの上方に配置されるように、表面積がより広い２つの面のうちの一方の面（下部半マットレスの上面と上部半マットレスの下面）で互いに対向するように配置され、重ね合わされる。各半マットレスは通常、人の身体への適正な適応性と、ベッドの角度可変フレームによってそれに伝達される傾斜とを可能にする、発砲材料からなる。
【０００８】
上部半マットレスと下部半マットレスの両方は、難燃性で抗アレルギー性の液状接着剤などの水性接着剤を用いて、互いに対向するそれぞれの表面によって互いに接合され、そのため、両方の半マットレスは一緒に作動し、平行６面体形状を備えた単体を形成する。
【考案の概要】
【考案が解決しようとする課題】
【０００９】
しかし、直立位置にある人が必然的に自身の体重で摺動するかまたは滑る傾向があり、横たわっていたときに座るために臀部が使用していたマットレスの部分を自身とともに下方に引っ張り、さらに、例えば、第１の後頭部支持領域と第２の臀部座面領域との間に位置するフレームの第１の横軸の上方にあるマットレスの部分を圧迫して、直立位置の人の腰部がある位置の直後に集まるため、この種のマットレスは、主に角度可変フレームが人が直立に座っている稼働位置（リクライニングまたは直立）に配置されているとき、言い換えると、臀部がマットレスの臀部座面領域に載っているときの変形に問題がある。例えば約１２０°の角度を取るために、角度可変フレームは、マットレスが中間にある状態で人の背中が載っているパネルが回転するにつれて、上部半マットレスと、上部半マットレスが接合されている下部半マットレスとを屈曲せざるを得なくする。しかし、この状況で上部半マットレスが人と下部半マットレスの間に捕捉され、上部半マットレスの厚みの一部が、後頭部支持領域と臀部座面領域の間の折れ目付近の部分で、下部半マットレスが同じ折れ目において圧迫されるよりもはるかに大きく圧迫されることになる。したがって、これにより、マットレスの第１の後頭部支持領域と臀部座面領域との間に（折れ目領域における上記の圧迫に起因して）望ましくない折れ目または隆起の形成が生じ、その結果として、体位を正すために繰り返し体位を変える必要がある人、例えば患者の不快感および／または痛みの問題が生じ、患者と介護者の両方に痛みと負傷を生じさせる可能性があり、稼働位置に移行するためにフレームの上記の傾斜動作時に患者の仙骨部および背中にかかる剪断力に起因して床擦れを起こすリスクがある。
【００１０】
したがって、使用中に角度可変フレームが取り得る異なる傾斜位置にかかわらず、マットレスが人の稼働リクライニングまたは直立位置を取るときにマットレスに望ましくない変形または隆起が生じないこと、したがって、マットレスが常に十分な身体の安静を保証することができることを保証し、それによりその上に横たわるかまたは直立に座る人の不快感または負傷の問題を防止する、角度可変フレームを備えたベッド用のマットレスに特に適した解決策を有することが望ましいであろう。
【課題を解決するための手段】
【００１１】
提起された上記問題の解決策を提供するために、静止位置から稼働位置への移行時に、横たわっている人の身体を直立に座らせるようになされたベッド用のマットレスが開示される。このマットレスがその一部をなすように意図されるベッドの種類は、可倒式寝具と呼ばれ、マットレスが載置される少なくとも１つの横軸を中心に傾斜するフレームを有するベッドである。
【００１２】
本考案のマットレス体では、フレームが傾斜すると互いの間で１８０°と９０°との間からなる複数の角度をなすように配置されることができる少なくとも１つの第１の後頭部支持領域とそれに続く第２の臀部座面領域とが決定され、マットレスは、第１の材料からなる第１の下部半マットレスと、第１の下部半マットレスの厚さよりも薄い厚さを有し、人を支持するように意図された支持面を備えた第２の材料からなる第２の上部半マットレスとを含む。
【００１３】
本考案のマットレスは、第１の下部半マットレスと第２の上部半マットレスとが、最大の表面積を有するその２つの面のうちの一方の面で互いに重ね合わされ、互いに対向するように配置され、静止位置および稼働位置において第２の上部半マットレスは第１の下部半マットレスの上方に位置することを特徴とする。また、マットレスの第１の後頭部支持領域が、それぞれの対面で互いに対向するように配置された第１の下部半マットレスの第１の後頭部支持部と第２の上部半マットレスの第１の後頭部支持部とによって形成され、マットレスの第２の臀部座面領域が、それぞれの対面で互いに対向するように配置された第１の下部半マットレスの第２の臀部座面部と第２の上部半マットレスの第２の臀部座面部とによって形成されていることも特徴とする。第１の下部半マットレスと第２の上部半マットレスとが、少なくともそのそれぞれの第２の臀部座面部によって互いに接合されていることを特徴とする。また、第１の下部半マットレスの第１の後頭部支持部と第２の上半マットレスとの対応する対面は、静止位置から稼働位置への移行時にマットレスの後頭部支持領域が臀部座面領域を基準にして傾斜させられると、第１の下部半マットレスの第１の後頭部支持部に対する第２の上部半マットレスの第１の後頭部支持部の相対的摺動を確実にするように構成された相互摺動手段を含む。
【００１４】
マットレスに沿った異なる領域の決定は、異なるマットレスの大きさに依存する。例えば、長さ２ｍのマットレスの場合、第１の後頭部支持領域の長さは約０．７５ｍであり、第２の臀部座面領域は約０．２５ｍであり、第３の下肢支持領域は約１ｍである。したがって、第１の領域と第２の領域とが一緒になってマットレスの全長の約半分を形成し、第３の領域は当然、他方の半分を形成する。第２の臀部座面領域は、第１の後頭部支持領域の長さの３分の１に相当する。各領域はその名称で言及される身体部分を支持することが意図されているため、それぞれの領域の長さは人の人体構造に応じていると言える。第３の下肢支持領域の各半部については、第１の大腿部支持半部が約４２ｃｍの寸法であり、第２のふくらはぎおよび足部支持半部は約５８ｃｍである。
【００１５】
したがって、マットレスの一端に位置する領域である第１の後頭部支持領域は、マットレスの全長の３５％と４０％の間からなる長さを有し、第１の後頭部支持領域と第３の下肢支持領域との間に隣接して位置する第２の臀部座面領域は、マットレスの全長の１０％と１５％の間の長さを有し、第２の臀部座面領域に隣接し、マットレスの他端に位置する第３の下肢支持領域は、マットレスの全長の４５％と５５％の間からなる長さを有することが想定される。
【００１６】
本考案の背景技術に関する項で説明したように、現況技術で知られているマットレスにおいては、人が実質的に直立位置にあるとき、言い換えると、臀部がマットレスの臀部座面領域に載った状態で、人は必然的に自身の体重で摺動または滑る傾向があり、それによりフレーム上で自身とともにマットレスの臀部座面領域を下方に引っ張り、上部半マットレスと下部半マットレスとが互いに対向する面の全表面上で全面的に接合されることで上部半マットレスと下部半マットレスとが一緒に変形することに起因して、後頭部支持領域における望ましくない折れ目または隆起において材料の圧迫部が形成され、結果としてマットレスに直立に座っている人にとって痛みを生じる。
【００１７】
本考案のマットレスにより、マットレスの第１の後頭部支持領域において、上部半マットレスと下部半マットレスの両方が、前記後頭部支持領域においては互いに接合されず、臀部座面領域で接合されるため、互いに対向する面上で相互に摺動することができるため、上記の変形問題が解消される。
【００１８】
したがって、マットレスが静止位置から稼働リクライニング位置または直立位置に移行するとき、下にマットレスの後頭部支持領域が載っているベッドのフレームのパネルが傾斜し始めるため、下部半マットレスと上部半マットレスとが傾斜し、折れ始めるが、これが起こるときに、第２の上部半マットレスの第１の後頭部支持部（マットレスの後頭部支持領域に対応する部分）が、第１の下部半マットレスの第１の後頭部支持部を基準にして移動し、具体的には後頭部から離れる方向に移動し、第２の上部半マットレスがベッドのヘッドボードに対応するマットレスの端部で第１の下部半マットレスから突出する。この摺動により、人が直接載る場所である上部半マットレスに隆起および変形がなくなり、座った状態で起き上がる人の適正な支持を実現する。したがって、本考案のマットレスは、人（例えば患者）の快適さを常に保証し、稼働直立またはリクライニング位置を取るためにフレームを傾斜させるときに人の仙骨部および背中にかかる剪断力に起因する床擦れの形成などの痛みおよび負傷を防止する。
【００１９】
また、本考案のマットレスの高い適応性は、可倒式寝具を備えるベッド、およびリクライニングチェアにおけるその適用を可能にする。
【００２０】
本考案の別の特徴によると、第１の下部半マットレスと第２の上部半マットレスとの第１の後頭部支持部の対応する対面は、布地自体に対する摩擦係数が、静止位置から稼働位置への移行時にマットレスの後頭部支持領域が臀部座面領域を基準にして傾斜させられるときに第１の下部半マットレスの第１の後頭部支持部に対する第２の上部半マットレスの第１の後頭部支持部の相対的摺動を確実にするような摩擦係数である布地によって形成される。したがって、第１の下部半マットレスと第２の上部半マットレスとの第１の後頭部支持部の対応する対面の相互摺動手段は、前記面が形成されている布地そのものである（前記面の表面が前記布地からなる）。
【００２１】
好ましくは、第１の下部半マットレスと第２の上部半マットレスとの第１の後頭部支持部の対面を形成する布地は、プラスチック材料からなる布地であり、最も好ましい選択肢はポリウレタンである。しかし、布地自体との摩擦係数が低い布地がプラスチックではなく、例えば絹、サテンなどであり得るマットレスの他の実施形態も企図される。
【００２２】
第１の好ましい実施形態によると、第１の下部半マットレスと第２の上部半マットレスとの第１の後頭部支持部の対面を形成する布地（好ましくはポリウレタン）は、マットレスが備える被覆スリーブの一部である。
【００２３】
この第１の好ましい実施形態によると、マットレスは、第２の臀部座面領域に隣接する第３の下肢支持領域をさらに有することができ、第３の下肢支持領域は、第２の臀部座面領域に対して１８０°と９０°の間からなる複数の角度をなすように配置されることができ、マットレスの第３の下肢支持領域は、それぞれの対面で重ね合わされ、互いに対向するように配置された、第１の下部半マットレスの第３の下肢支持部と第２の上部半マットレスの第３の下肢支持部とによって形成される。
【００２４】
この構成に基づいて、第３の下肢支持部の対面は、第１の下部半マットレスと第２の上部半マットレスとの第１の後頭部支持部の対面を形成する同じ被覆スリーブの一部とすることができ、マットレスの最も長い側が延びる方向を長手方向とみなして、被覆スリーブは「Ｘ」字形状の長手方向断面を有することが想定される。
【００２５】
しかし、「Ｘ」字形状の長手方向断面を有する被覆スリーブの代わりに、第３の下肢支持部の対面が、前述とは異なり、マットレスが備える被覆スリーブの前記対面の間での介在なしに互いの間で接合されており、したがって被覆スリーブが、マットレスの最も長い側が延びる方向を長手方向とみなして「Ｙ」字形状の長手方向断面を有する別の選択肢も提供される。
【００２６】
マットレスの第１の好ましい実施形態の代替である第２の好ましい実施形態によると、第１の下部半マットレスの第１の後頭部支持部の対面を形成する布地（好ましくはポリウレタン）は、第１の下部半マットレスが備える下部被覆スリーブの一部であり、第２の上部半マットレスの第１の後頭部支持部の対面を形成する布地（好ましくはポリウレタン）は第２の上部半マットレスが備える別の上部被覆スリーブの一部であり、さらに、第１の下部半マットレスの第２の臀部座面部と第２の上部半マットレスの第２の臀部座面部とが、第２の臀部座面部に対応する区分においてそのそれぞれのスリーブの間の接合によって互いに接合される。このように、マットレスは２つのスリーブを有し、一方のスリーブが第１の下部半マットレスの一部を形成し、他方のスリーブが第２の上部半マットレスの一部を形成し、これらのスリーブは、第２の臀部座面部に対応するそれぞれの区分によって互いに接合される。
【００２７】
また、この第２の好ましい実施形態では、マットレスは、第２の臀部座面領域に隣接する第３の下肢支持領域をさらに有することができ、第３の下肢支持領域は、第２の臀部座面領域に対して１８０°と９０°との間からなる複数の角度をなすように配置されることができ、マットレスの第３の下肢支持領域は、それぞれの対面で重ね合わされ、互いに対向するように配置された、第１の下部半マットレスの第３の下肢支持部と第２の上部半マットレスの第３の下肢支持部とによって形成される。この構成では、第１の下部半マットレスの第３の下肢支持部の対面は第１の下部半マットレスの下部被覆スリーブの一部であり、第２の上部半マットレスの第３の下肢支持部の対面は第２の上部半マットレスの上部被覆スリーブの一部である。第１の下部半マットレスの第３の下肢支持部の対面と第２の上部半マットレスの第３の下肢支持部の対面とは、互いに接合されていてもいなくてもよい。
【００２８】
本考案のすべての実施形態で適用可能な本考案のマットレス体の別の追加の特徴によると、その第２の臀部座面部と、もしある場合にはその第３の下肢支持部とにおける、第２の上部半マットレスとの第１の下部半マットレスの接合は、接着剤（例えば水性接着剤）を用いた接合、縫製による接合、ストラップによるもの、（例えば、留め金、スナップ、またはジッパーによる）相互結合手段、または（例えば、Ｖｅｌｃｒｏ（登録商標）ストリップの接合におけるようなループとフックを用いる）相互フック手段による接合とすることができる。
【００２９】
本考案のマットレスにおける第３の下肢支持領域を含む記載の実施形態では、前記第３の領域はさらに２つの支持半部に分割することができ、第１の支持半部は大腿部支持半部であり、第２の支持半部はふくらはぎおよび足部支持半部である。前記半部は、ベッドのフレームが、ふくらはぎおよび足部の支持に対応するマットレスの半部をそれぞれ支持する役割を果たす互いの間に連接された２枚のパネルの傾斜のための横角度可変軸を含むベッドにおいてマットレスを使用するために、互いの間に異なる角度位置を形成するように配置され得る。
【００３０】
本考案のマットレス体の別の好ましい特徴によると、第１の下部半マットレスはポリウレタン発泡材からなる。好ましくは、第１の下部半マットレスのポリウレタン発泡材は、３０Ｋｇ／ｍ３と６０Ｋｇ／ｍ３との間からなる密度を有し、４０Ｋｇ／ｍ３に等しい密度が特に好ましい。第１の下部半マットレスのポリウレタン発泡材の厚さについては、１０ｃｍと１７ｃｍとの間の厚さ、好ましくは約１３ｃｍの厚さを有してよい。
【００３１】
第２の上部半マットレスに関しては、粘弾性発泡材からなるのが好ましい。知られているように、粘弾性発泡材は、それ自体の温度により身体の形状に適応する粘性および感熱性のテクスチャを有する。したがって、この材料により、材料に圧力がかからなくなると材料はその初期形状に戻るため、各体位において身体の形状への全体的適応が実現される。この粘弾性発泡材の密度は、３０Ｋｇ／ｍ３と６０Ｋｇ／ｍ３との間とすることができ、好ましい値は５０Ｋｇ／ｍ３である。この粘弾性発泡材の厚さに関しては、２ｃｍと７ｃｍの間の値が想定され、好ましい厚さは約４ｃｍである。
【００３２】
本考案の別の態様によると、静止位置から稼働位置への移行時に、横たわっている人の身体を直立に座らせるようになされたベッドであって、マットレスと、マットレスの支持を受けるようになされた表面を備えたフレームとを含み、フレームの表面はフレームの少なくとも１つの横軸を中心に傾斜する少なくとも２枚のパネルを含むベッドが開示される。
【００３３】
本考案のベッド体は、組み込むマットレスが、記載されている実施形態のいずれかにおける上述のマットレス（本考案の第１の対象）であることを特徴とする。マットレスは、ベッドのフレームを構成するパネル上に単に載るようになされ得るか、または何らかの方式でフレームに下部半マットレスによって固定され得る。フレームは、それぞれのパネルを連接するいくつかの横軸を含み得る。フレームが有する連接されたパネルが多いほど、静止動作（人がマットレス上に横たわっている）から稼働リクライニングまたは直立位置（人が背中が自身の下肢を支持する領域に対してある角度をなした状態でベッド上で座った位置にある）に移行するために他のパネルを基準にしたパネルの回転が始動されたときに、マットレスのより多くの領域を互いの間で傾斜させることができるようになる。
【００３４】
添付図面に、非限定的な例として、本考案のマットレス体のいくつかの好ましい実施形態を示す。これらの図面は以下の通りである。
【図面の簡単な説明】
【００３５】
【図１】本考案の好ましい一実施形態による、マットレスを組み込んだ、角度可変フレームを備える種類の適応型ベッドであり、下部半マットレスと上部半マットレスの両方が臀部座面領域によってのみ接合されている適応型ベッドを示す斜視図である。
【図２】静止位置においてマットレスに横たわっている人のシルエットを概略的に示し、マットレスの異なる支持領域を示す、図１によるマットレスを示す立面図である。
【図３】第１の後頭部支持領域が臀部座面領域に対して１８０°とは異なる角度をなすように配置され、そのためマットレスが特に中間リクライニングのための稼働位置を取っている、静止位置ではない稼働リクライニング位置における本考案のマットレス体を示す立面図である。
【図４】第３の下肢支持領域を形成する半部の間の傾斜、言い換えると、第１の大腿部支持半部を基準にした第２のふくらはぎおよび足部支持半部の傾斜が見える、別の稼働位置における図３のマットレスを示す立面図である。
【図５】人が臀部が臀部座面領域上に載った状態で完全に座るように直立位置に配置されることができるようにする、リクライニング稼働位置、具体的には座位位置にある図４のマットレスを示す立面図である。
【図６】第１の後頭部支持領域の自由端（第２の臀部座面領域から最遠端）における上部半マットレスと下部半マットレスの両方の間で摺動することによる相対的変位を、矢印を用いてより詳細に示す、図５の拡大図である。
【図７】上部半マットレスと下部半マットレスの両方の第１の後頭部支持部と第３の下肢支持部との対面を形成する、「Ｘ」字形状の単体として製作されたスリーブを備え、２つの半マットレスがそれぞれの第２の臀部座面部によって接合されている、第２の実施形態による本考案のマットレス体を示す概略図である。
【図８】上部半マットレスと下部半マットレスの両方が第２の臀部座面部と第３の下肢支持部とによって接合されている、「Ｙ」字形状の単体として製作されたスリーブを備える、第３の実施形態による本考案のマットレス体を示す概略図である。
【図９】マットレスが、上部半マットレスの一部を形成する上部スリーブと、下部半マットレスの一部を形成する下部スリーブとを備え、半マットレスが第２の臀部座面部に対応する各区分においてそのスリーブを介してのみ接合されている、第４の実施形態による本考案のマットレス体を示す概略分解立面図である。
【図１０】図９のマットレスとは異なり、半マットレスが第３の下肢支持部に対応するそのスリーブの区部によっても接合されている、第５の実施形態による本考案のマットレス体を示す概略分解立面図である。
【考案を実施するための形態】
【００３６】
図１に、可倒式寝具を備えたベッド２の角度可変フレーム３上に配置されたマットレス１を示す。角度可変フレーム３は電動式であり、静止位置（図２参照）から稼働リクライニングまたは直立位置（図３および図４参照）へ、また稼働座位位置（図５）への移行時に、横たわっている人Ｐの身体を直立して座らせ、その際、人が実質的に座ってマットレス１上で直立位置にとどまるように構成されている。
【００３７】
この実施形態では、角度可変フレーム３は、その表面を４つの部分、具体的には、それぞれの人の必要に応じた独立した方式でリクライニングする４枚の連接されたパネルに分割し、後述するように、角度可変フレーム３上に載っているマットレス１上で異なる支持領域を決定する、３つの連接横軸４ａ、４ｂおよび４ｃを含む。モータと機械的手段（図面には示さず）との作用によって横軸４ａ、４ｂおよび４ｃを回転させることによって、連接されたパネルは、他のパネルを基準にして特定の傾斜で配置され、異なる稼働傾斜位置を取ることになる。また、角度可変フレーム３のパネル上に載っているマットレス１は、その下にあるパネルの傾斜に応じたその各領域において対応する稼働位置を取ることになる。
【００３８】
この実施例では、マットレス１は、その名称が示すようにマットレス１上の人Ｐの後頭部を支持するように意図されたマットレスの領域である第１の後頭部支持領域１Ａと、それに続く、臀部を支持するのに適した第２の臀部座面領域１Ｂ（図１では線入りパターンで表されている）と、それに続く、第３の下肢支持領域１Ｃとを有し、下肢支持領域１Ｃはさらに第１の大腿部支持半部１Ｄと第２のふくらはぎおよび足部支持半部１Ｅとに細分されている（図２参照）。例として、長さ２ｍのマットレスの場合、第１の後頭部支持領域１Ａの寸法は約０．７５ｍであり、第２の臀部座面領域１Ｂの寸法は０．２５ｍであり、第３の下肢支持領域の寸法は１ｍである。最後に、第１の大腿部支持半部１Ｄの寸法は４２ｃｍであり、第２のふくらはぎおよび足部支持半部１Ｅの寸法は５８ｃｍである。
【００３９】
図１に示すベッド２では、フレーム３の第１の横軸４ａが、静止位置から人Ｐの直立位置に移行するために、第１の後頭部支持領域１Ａと第２の臀部座面領域１Ｂとが１８０°と９０°の間からなる互いの間の複数の角度をなして配置されることができるように、第１の後頭部支持領域１Ａと第２の臀部座面領域１Ｂとの間の傾斜を可能にする。同様に、フレーム３の第２の横軸４ｂが、第２の臀部座面領域１Ｂと（第３の下肢支持領域１Ｃに属する）第１の大腿部支持半部１Ｄとの間の傾斜を可能にし、第３の横軸４ｃが、下肢の姿勢に対応するために、第１の大腿部支持半部１Ｄと第２のふくらはぎおよび足部支持半部１Ｅとの間の傾斜を可能にする。
【００４０】
図２から図５に、人を臀部が臀部座面領域１Ｂ上に載った状態で実質的に座った位置（座位）に配置するための、人Ｐの身体がマットレス１に横たわっている初期静止位置（図２参照）から、中間稼働位置（図３および図４参照）を経て、稼働増進リクライニング位置に達するまでの、マットレス１の一連のリクラインイング動作を概略的に示す。
【００４１】
図１から図５でわかるように、マットレス１は第１の下部半マットレス５と第２の上部半マットレス６とを含む。第１の下部半マットレス５は、密度が約４０Ｋｇ／ｍ３で硬度が約５．３５ＫＰａ、厚さが１３ｃｍの、第１の材料、好ましくは高品質ポリウレタン発泡材からなる。第１の下部半マットレス５は、静止位置（図１および図２）から任意の中間稼働傾斜位置（図３および図４）を経て稼働座位位置（図５）への移動を容易にするために、その下面に形成された横切り込み９を有してもよい。例として、図３および図４に、第１の後頭部領域１Ａと第２の臀部座面領域１Ｂとの間に形成された横切り込み９を示す。
【００４２】
また、第２の上部半マットレス６は、第２の材料、好ましくは、近似密度が５０Ｋｇ／ｍ３、硬度が約１．６ＫＰａで、第１の下部半マットレス５より薄い厚さを有する粘弾性発泡材からなり、第２の上部半マットレス６は人Ｐのための支持面７を備える。図の実施例では、第１の下部半マットレス５は約１３ｃｍの厚さを有し、第２の上部半マットレス６は約４ｃｍの厚さを有する。
【００４３】
したがって、本考案のマットレス１は、人Ｐの身体がしっかりした表面上に載るが、それと同時に、動きのための一定の許容能力を備えることを実現する。第２の上部半マットレス６の粘弾性発泡材の適応力により、身体の重量がより広い表面積にわたって分散され、そのため、皮膚にかかる圧力が減少し、したがって床擦れが起こるリスクが低減される。
【００４４】
図面において、第１の下部半マットレス５と第２の上部半マットレス６とは、第２の半マットレス６が常に第１の半マットレス５の上に配置されるように、最大の表面積を有するその２つの面のうちの一方の面（下部半マットレス５の上面と上部半マットレス６の下面、言い換えると支持面７とは反対側の面）で互いに対向するように配置され、重ね合わされ、上と下とは、マットレス１がベッド２の一部をなす角度可変フレーム３上に水平に置かれるときにマットレス１の使用に固有の上下を指すものと理解される。
【００４５】
図３に、マットレス１において区別可能な領域と、マットレス１を構成する半マットレス５および６における対応する部分とを示す。マットレス１の第１の後頭部支持領域１Ａは、それぞれの対面５１Ａおよび６１Ａで互いに対向するように配置された、第１の下部半マットレス５の第１の後頭部支持部５Ａと第２の上部半マットレス６の第１の後頭部支持部６Ａとによって形成される。さらに、マットレス１の第２の臀部座面領域１Ｂは、それぞれの対面５１Ｂおよび６１Ｂで互いに向かい合って配置された、第１の下部半マットレス５の第２の臀部座面部５Ｂと第２の上部半マットレス６の第２の臀部座面部６Ｂとによって形成される。最後に、マットレス１の第３の下肢支持領域１Ｃが、それぞれの対面５１Ｃおよび６１Ｃで重ね合わされ、互いに対向するように配置された、第１の下部半マットレス５の第３の下肢支持部５Ｃと第２の上部半マットレス６の第３の下肢支持部６Ｃとによって形成される。
【００４６】
第１の下部半マットレス５と第２の上部半マットレス６とは、マットレス１の第２の臀部座面領域１Ｂに対応する、互いに対向する面の少なくとも一部によって互いに接合されていることに留意することが重要である。言い換えると、第１の下部半マットレス５と第２の上部半マットレス６とは、少なくともそのそれぞれの第２の臀部座面部５Ｂおよび６Ｂによって互いに接合され、マットレス１が取る稼働位置にかかわらず、マットレス１自体の安定性を維持する。図１から図４、図７および図９では、その第２の臀部座面部５Ｂおよび６Ｂのみによって互いに接合された第１の下部半マットレス５と第２の上部半マットレス６とを示しており、一方、図８および図１０では第３の下肢支持部５Ｃおよび６Ｃによっても接合されている。
【００４７】
この目的のために、第１の下部半マットレス５と第２の上部半マットレス６とは、対面５１Ｂ−６１Ｂおよび５１Ｃ−６１Ｃ間で、水性接着剤などの接着剤によって、または縫製によって、またはループまたはストラップで結びつけることによって、または留め具、スナップ、またはジッパーなどの相互結合手段を用いて、または相互フック手段８、例えば、Ｖｅｌｃｒｏ（登録商標）ストリップなどの複数のループとフックとを備えるストリップなどにより、互いに接合することができる。図面では、このような相互係合手段８が太い点線で概略的に表されている。
【００４８】
同様に注目すべきなのは、第１の下部半マットレス５と第２の上部半マットレス６の第１の後頭部支持部５Ａ、６Ａの対応する対面５１Ａ、６１Ａが、後述するように（図３、図４および図６参照）、静止位置から稼働位置への移行時にマットレス１の後頭部支持領域１Ａが臀部座面領域１Ｂを基準にして傾斜されるときに第１の下部半マットレス５の第１の後頭部支持部５Ａを基準にした第２の上部半マットレス６の第１の後頭部支持部６Ａの相対的摺動を確実にするように構成された、相互摺動手段を含むことである。
【００４９】
上述のように、マットレス１が、人Ｐが直立背面位置、言い換えると臀部がマットレス１の臀部座面領域１Ｂに載っている状態に置かれることができるようにする位置に配置されると（図４および図５参照）、人Ｐは必然的に自分の体重で摺動または滑る傾向があり、人Ｐとともにマットレス１の臀部座面領域１Ｂをフレーム３上で下方に引っ張る。それにもかかわらず、マットレスが互いに対向する面によって完全に接合されて一緒に変形していた上部および下部半マットレスを備える単一部分から形成された現況技術で知られているマットレスで発生する現象とは異なり、第１と第２の半マットレス５および６が前記後頭部支持領域１Ａでは互いに接合されていないために互いに対向する面５１Ａおよび６１Ａ上で互いに摺動することができることにより、後頭部支持領域１Ａにおける望ましくない折れ目または隆起の形成の問題を防止する。
【００５０】
実際、図４および図６でわかるように、人Ｐの体重により臀部座面領域１Ｂによって引っ張られると第１の下部半マットレス５は下方に変形するが、第２の上部半マットレス６は、両方の半マットレスがその対面５１Ａと６１Ａ、および対面５１Ｃと６１Ｃで相互に摺動するため、上方への相対的変位をしやすく、前記第１の下部半マットレス５の端部の上方に突出する。このようにして、臀部座面領域１Ｂの引っ張る動きは第１の下部半マットレス５と、第２の上部半マットレス６の第１の後頭部支持部６Ａのみに影響するに過ぎず、マットレス１がフレーム３の動きの結果としてリクライニングすると、マットレス１は、臀部座面領域１Ｂとは反対の方向のマットレス１の上端に向かう摺動により、いかなる皺も隆起も生じさせず、これは人Ｐが載っているマットレス１の表面７のこれらの部分を伸ばしているかのようである。
【００５１】
したがって、本考案のマットレス１は、その上に横たわっている人Ｐ、例えば患者の快適さを常に保証し、体位を正すための位置変えによる患者と介護者の両方の痛みと負傷を防止するとともに、患者の仙骨部および背中にかかる剪断力による床擦れの形成を防止する。
【００５２】
第１の下部半マットレス５の第１の後頭部支持部５Ａに対する第２の上部半マットレス６の第１の後頭部支持部６Ａの相対的摺動を確実にするように構成された相互摺動手段（図６）は、実際には布地自体との低い摩擦係数を有する布地、好ましくはプラスチック、より好ましくはポリウレタンである。必須ではないが、双方向弾性（両方の方向軸において弾性）があり、高品質で手触りが極めて柔らかく、液体不浸透性であるが水蒸気は透過させ、防ダニ処理が施され、生体適合性であるポリウレタン布地を推奨する。しかし、布地自体との摩擦係数が低い布地がプラスチックではなく、例えば絹、サテンなどであり得るマットレス１の他の実施形態も企図される。
【００５３】
角度可変フレーム３のパネルが傾斜させられると第１の後頭部支持部５Ａに対する第１の後頭部支持部６Ａの相対的摺動を可能にするこの布地は、第１の下部半マットレス５と第２の上部半マットレス６との第１の後頭部支持部５Ａ、６Ａの対面５１Ａおよび６１Ａが作られている布地であり、有利なことに前記各面は図７および図１０に示すマットレス１の異なる構成においてマットレス１の一部を形成するスリーブ１０、１１、１２、１３の一部である。このように、第１および第２の半マットレス５および６の互いに対向するそれぞれの面の間の布地材料の接触が適切な相互摺動を保証する。
【００５４】
図７から図１０において、スリーブ１０、１１、１２および１３の各部分は各事例における半マットレス５および６の対面５１Ａ−６１Ａ、５１Ｂ―６１Ｂ、および５１Ｃ−６１Ｃのうちの一部の対面を構成してマットレス１の外形を形成し、スリーブは半マットレス５および６を形成するコアの外形に適応可能であるため、実際にはコアとスリーブとには実質的に離隔はないが、その異なる構成がわかるように明確にするためにのみ、スリーブ１０、１１、１２および１３は第１の下部半マットレス５と第２の上部半マットレス６とのコアを構成する材料とは別個の点線で表されていることは明確にしておく。スリーブ１０、１１、１２および１３は、洗濯または交換のための取り外しを容易にするために、閉じジッパーを有してもよい。
【００５５】
図７において、第１の半マットレス５と第２の半マットレス６との第１の後頭部支持部５Ａ、６Ａの対面５１Ａ、６１Ａを形成する布地は、マットレス１が備える被覆スリーブ１０の一部である。同じことは、マットレス１のスリーブ１１のある図８にも言える。しかし、図９および図１０のマットレス１では、マットレス１は、第２の上部半マットレス６の外形を構成する上部スリーブ１３と第１の下部半マットレス５の外形を構成する下部スリーブ１２との２枚のスリーブを有する。
【００５６】
図７に戻ると、第３の下肢支持部５Ｃ、６Ｃの対面５１Ｃ、６１Ｃは第１の半マットレス５と第２の半マットレス６との第１の後頭部支持部５Ａ、６Ａの対面５１Ａ，６１Ａを形成する同じ被覆スリーブ１０の一部であることがわかる。被覆スリーブ１０は、マットレス１の最も長い側が延びる方向を長手方向とみなして「Ｘ」字形状の長手方向断面を有する。
【００５７】
また、図８では、図７とは異なり、マットレス１が備える被覆スリーブ１１が第３の下肢支持部５Ｃ、６Ｃの対面５１Ｃ、６１Ｃの間に介在せずに、前記対面５１Ｃ、６１Ｃが互いに接合されており、被覆スリーブ１１は、マットレス１の最も長い側が延びる方向を長手方向とみなして「Ｙ」字形状の長手方向断面を有する。
【００５８】
図９のマットレス１と、さらに図１０のマットレスでも、第１の下部半マットレス５の第１の後頭部支持部５Ａの対面５１Ａを形成する布地は、下部半マットレス５が備える下部被覆スリーブ１２の一部であり、第２の上部半マットレス６の第１の後頭部支持部６Ａの対面６１Ａを形成する布地は、第２の上部半マットレス６が備える別の上部被覆スリーブ１３の一部である。第１の下部半マットレス５の第２の臀部座面部５Ｂと第２の上部半マットレス６の第２の臀部座面部６Ｂとが、第２の臀部座面部５Ｂ、６Ｂに対応する区分におけるそのそれぞれのスリーブ１２と１３との間の接合によって互いに接合されており、接合は相互フック手段８によって行われていることも明確にわかる。
【００５９】
図９および図１０のマットレス１では、第１の下部半マットレス５の第３の下肢支持部５Ｃの対面５１Ｃが下部スリーブ１２の一部であり、第２の上部半マットレス６の第３の下肢支持部６Ｃの対面６１Ｃが第２の上部半マットレス６の上部被覆スリーブ１３の一部である。相違は、図９のマットレス１では、第１の下部半マットレス５の第３の下肢支持部５Ｃの対面５１Ｃと第２の上部半マットレス６の第３の下肢支持部６Ｃの対面６１Ｃとが互いに接合されておらず、一方、図１０のマットレス１では、これらが相互フック手段８によって接合されており、相互フック手段８はさらに対面５１Ｂと６１Ｂも接合している点である。
【符号の説明】
【００６０】
１  マットレス、１Ａ  第１の後頭部支持領域（後頭部支持領域）、１Ｂ  第２の臀部座面領域（臀部座面領域）、１Ｃ  第３の下肢支持領域、１Ｄ  第１の大腿部支持半部（大腿部支持半部）、１Ｅ  第２のふくらはぎおよび足部支持半部（ふくらはぎおよび足部支持半部）、２  ベッド、３  角度可変フレーム（フレーム）、４ａ  連接横軸（横軸）、４ｂ  連接横軸、４ｃ  連接横軸、５  第１の下部半マットレス（半マットレス）、５Ａ  第１の後頭部支持部、５Ｂ  第２の臀部座面部、５Ｃ  第３の下肢支持部、６  第２の上部半マットレス（半マットレス）、６Ａ  第１の後頭部支持部、６Ｂ  第２の臀部座面部、６Ｃ  第３の下肢支持部、７  支持面、８  相互係合手段（相互フック手段）、９  横切り込み、１０  スリーブ（被覆スリーブ）、１１  スリーブ（被覆スリーブ）、１２  スリーブ（下部被覆スリーブ）、１３  スリーブ（上部被覆スリーブ）、５１  面、５１Ａ  対面、５１Ｂ  対面、５１Ｃ  対面、６１  面、６１Ａ  対面、６１Ｂ  対面、６１Ｃ  対面、Ｐ  人。
【図１】
0003232509.tif 000003
【図２】
0003232509.tif 000004
【図３】
0003232509.tif 000005
【図４】
0003232509.tif 000006
【図５】
0003232509.tif 000007
【図６】
0003232509.tif 000008
【図７】
0003232509.tif 000009
【図８】
0003232509.tif 000010
【図９】
0003232509.tif 000011
【図１０】
0003232509.tif 000012